(57)【要約】【課題】１つの送風手段で、ワークトップ等への結露を防止する食器洗い機を提供する。【解決手段】食器洗い機本体１５内に設けた洗浄槽１６と、洗浄槽１６内に設けられた洗浄ノズル２０と、第１の送風経路２６を通じて洗浄槽１６に外気を送り、洗浄槽１６内の空気を排気口２４より外部に排出する送風手段２２と、送風手段２２による外気を洗浄槽１６を介さず排気口２４に送るための第２の送風経路２９と、第１の送風経路２６に設けられ送風量を調節する調整手段２８と、洗浄、すすぎ、乾燥の各工程を逐次制御する制御手段３１とを備えたもので、１つの送風手段２２で、第２の送風経路２９から外気を送風しつつ、洗浄槽１６内を通過する送風量を調整手段２８で調整することで、排気口２４から排出される排気の温度と、排気に含まれる水分を調整することができるので、ワークトップ３５等への結露を確実に防止することができる。【選択図】図１
2008212585.tif 000002
【特許請求の範囲】
【請求項１】
食器洗い機本体内に設けた洗浄槽と、前記洗浄槽内に設けられた洗浄ノズルと、第１の送風経路を通じて前記洗浄槽に外気を送り、前記洗浄槽内の空気を排気口より外部に排出する送風手段と、前記送風手段による外気を前記洗浄槽を介さず前記排気口に送るための第２の送風経路と、前記第１の送風経路に設けられ送風量を調節する調整手段と、洗浄、すすぎ、乾燥の各工程を逐次制御する制御手段とを備えた食器洗い機。
【請求項２】
調整手段は、各運転工程に合わせて送風量を調節するようにした請求項１に記載の食器洗い機。
【請求項３】
洗浄槽内の温度を検知する温度検知手段を備え、制御手段は、前記温度検知手段により検知した温度で調整手段を制御して送風量を調整するようにした請求項１または２に記載の食器洗い機。
【発明の詳細な説明】
【技術分野】
【０００１】
本発明は、食器等の洗浄および乾燥を行う食器洗い機に関するものである。
【背景技術】
【０００２】
従来のこの種の食器洗い機は、図２に示すように構成されていた（例えば、特許文献１参照）。以下、その構成について説明する。図２は、上記特許文献１に記載された従来の食器洗い機の側断面図である。
【０００３】
図２に示すように、システムキッチンに収容された従来の食器洗い機の食器洗い機本体１内には洗浄槽２が設けられ、その洗浄槽２は、上方に開口部３を有し、内部に食器類４を収容する食器かご５を配置している。食器かご５の下方には、洗浄ノズル６が回転自在に設けられ、洗浄槽２内に溜めた洗浄水をポンプ７によって循環させ、洗浄ノズル６より噴射して食器類４を洗浄するようになっている。
【０００４】
また、洗浄槽２の前方に設けられた前面パネル８の上部には、排気口９が設けられ、送風手段１０によって洗浄槽２内の空気を排気口９より機外へ排出して食器類４の乾燥をする。
【０００５】
洗浄槽２の側部には、第１のレール１１が固定され、その第１のレール１１は、食器洗い機本体１に固定した第２のレール１２によって、前後方向へ平行移動可能に支持されている。食器類４の洗浄槽２への出し入れを行う際には、前面パネル８に設けられたハンドル１３をつかみ、洗浄槽２を前方に引き出し、上方の開口部３より食器類４の収容をする。
【０００６】
次に、洗浄槽２を食器洗い機本体１内に戻し、運転を開始すると、洗浄槽２の底部に配置されたヒータ１４によって洗浄水を加熱しながら、洗浄ノズル６から食器類４に向かって噴射し、食器類４の汚れを落とす洗浄工程を行う。その後、食器類４をすすいだ後、乾燥工程を行って運転を終了する。
【特許文献１】特開２００１−０４６３０１号公報
【発明の開示】
【発明が解決しようとする課題】
【０００７】
しかしながら、このような従来の食器洗い機の構成では、前面パネル８に設けられた排気口９は、乾燥工程時に、洗浄槽２内の空気を排出する。乾燥工程初期の洗浄槽２内の空気は、温度が高くしかも水分も多く含んでおり、特に、周囲の雰囲気温度が低い場合、排気口９周辺との温度差により、排気口９のある前面パネル８や食器洗い機本体１が収納されるシステムキッチンのワークトップ３５の前方下部に結露しやすく、床への滴下や、ユーザーがキッチンを移動する際に、水滴が着ている衣服に付着するという課題を有していた。
【０００８】
また、この結露が床に滴下しないように、排気口９の下部に受け部を設けることもできるが、受け部が前方に突出するため、ユーザーがキッチンを移動する際に邪魔になるという課題を有していた。
【０００９】
本発明は、上記従来の課題を解決するもので、１つの送風手段で、送風経路から外気を送風しつつ、洗浄槽内を通過する送風量を調整することで、排気口からの排気の温度と、排気に含まれる水分を調整し、ワークトップ等への結露を防止することができる食器洗い機を提供することを目的としている。
【課題を解決するための手段】
【００１０】
上記従来の課題を解決するために、本発明の食器洗い機は、食器洗い機本体内に設けた洗浄槽と、前記洗浄槽内に設けられた洗浄ノズルと、第１の送風経路を通じて前記洗浄槽に外気を送り、前記洗浄槽内の空気を排気口より外部に排出する送風手段と、前記送風手段による外気を前記洗浄槽を介さず前記排気口に送るための第２の送風経路と、前記第１の送風経路に設けられ送風量を調節する調整手段と、洗浄、すすぎ、乾燥の各工程を逐次制御する制御手段とを備えたもので、１つの送風手段で、第２の送風経路から排気口に外気を送風しつつ、洗浄槽内を通過する送風量を調整手段で調整することで、排気口から排出される排気の排気温度と、排気に含まれる水分を調整することができるので、ワークトップ等への結露を確実に防止することができる。
【発明の効果】
【００１１】
本発明の食器洗い機は、１つの送風手段で、第２の送風経路から排気口に外気を送風しつつ、洗浄槽内を通過する送風量を調整手段で調整することで、排気口から排出される排気の温度と、排気に含まれる水分を調整することができるので、ワークトップ等への結露を確実に防止することができる。
【発明を実施するための最良の形態】
【００１２】
第１の発明は、食器洗い機本体内に設けた洗浄槽と、前記洗浄槽内に設けられた洗浄ノズルと、第１の送風経路を通じて前記洗浄槽に外気を送り、前記洗浄槽内の空気を排気口より外部に排出する送風手段と、前記送風手段による外気を前記洗浄槽を介さず前記排気口に送るための第２の送風経路と、前記第１の送風経路に設けられ送風量を調節する調整手段と、洗浄、すすぎ、乾燥の各工程を逐次制御する制御手段とを備えたもので、１つの送風手段で、第２の送風経路から排気口に外気を送風しつつ、洗浄槽内を通過する送風量を調整手段で調整することで、排気口から排出される排気の温度と、排気に含まれる水分を調整することができるので、ワークトップ等への結露を確実に防止することができる。
【００１３】
第２の発明は、特に、第１の発明の調整手段は、各運転工程に合わせて送風量を調節するようにしたもので、洗浄、すすぎ、乾燥の各工程中に合わせて、排気口から排出される排気の温度と、排気に含まれる水分を調整することができるので、ワークトップ等への結露を確実に防止することができる。
【００１４】
第３の発明は、特に、第１又は第２の発明の洗浄槽内の温度を検知する温度検知手段を備え、制御手段は、前記温度検知手段により検知した温度で調整手段を制御して送風量を調整するようにしたもので、洗浄、すすぎ、乾燥の各工程中の温度状態に合わせて、排気口から排出される排気の温度と、排気に含まれる水分を調整することができるので、ワークトップ等への結露を確実に防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における食器洗い機の側断面図である。
【００１７】
図１において、システムキッチンに収容された本実施の形態における食器洗い機の食器洗い機本体１５の内部には、洗浄槽１６が設けられ、洗浄槽１６は、上方に開口部１７を有し、内部に、食器類１８を収容する食器かご１９を配置している。食器かご１９の下方には、洗浄水を噴射する洗浄ノズル２０を回転自在に設けるとともに、洗浄槽１６内に溜めた洗浄水を、洗浄ノズル２０を介して循環するポンプ２１を設けている。また、底部には、洗浄水と送風手段２２によって送風される空気とを加熱するヒータ２３を配設している。
【００１８】
２４は、洗浄槽１６の前方に設けた前面パネル２５の上部に配設された排気口で、洗浄槽１６の上方に配された排気経路２７を介して、洗浄槽１６内と連通している。２２は、洗浄槽１６内に外気を送る送風手段で、洗浄槽１６の下部に設けられると共に、第１の送風経路２６を介して洗浄槽１６と連通しており、送風手段２２を運転することにより、外気を洗浄槽１６内に送り、洗浄槽１６内の空気を、排気経路２７を介して、排気口２４より外部に排出するようにしている。第１の送風経路２６の途中には、モータ駆動による弁機構（図示せず）で経路の断面積を変化させ、送風手段２２の送風量を調整できる調整手段２８が設けられている。
【００１９】
２９は、第１の送風経路２６の調整手段２８の上流側から分岐すると共に排気経路２７と連通する第２の送風経路で、送風手段２２による送風が、洗浄槽１６を介さず排気経路２７に送風するように構成され、排気口２４からは、洗浄槽１６内から排出された空気と、外気が混合して排気するよう構成されている。
【００２０】
また、洗浄槽１６の下部には、洗浄水の温度を検知する温度検知手段３０が設けられ、洗浄・すすぎ・乾燥工程を逐次制御する制御手段３１は、温度検知手段３０からの信号によって、送風手段２２、調整手段２８の運転を制御し、洗浄・すすぎ・乾燥工程で異なり、また、各工程の温度に合わせて制御するよう構成されている。
【００２１】
また、洗浄槽１６の両側面には、第１のレール３２が固定されており、その第１のレール３２は、食器洗い機本体１５に固定した第２のレール３３で、前後方向へ平行移動可能に支持されている。食器類１８の出し入れを行う際には、前面パネル２５に設けられたハンドル３４をつかみ、洗浄槽１６を前方に引き出し、上方の開口部１７より食器類１８の収容をするように構成している。
【００２２】
以上のように構成された本実施の形態における食器洗い機の動作、作用について、以下に説明する。
【００２３】
まず、使用者が前面パネル２５に設けたハンドル３４をつかみ洗浄槽１６を食器洗い機本体１５から引き出し、洗浄槽１６内に配置した食器かご１９に汚れた食器類１８をセットする。次に洗浄槽１６を、食器洗い機本体１５に戻し、運転を開始すると、洗浄槽１６内底に配置されたヒータ２３によって洗浄水を加熱しながら、洗浄ノズル２０から食器類１８に向かって噴射し、食器類１８の汚れを落とす洗浄工程を行い、その後、数回の溜めすすぎを行った後、ヒータ２３によって約８０℃に加熱しながらすすぐ、加熱すすぎ工程を行った後、ヒータ２３によって空気を加熱しながら、送風手段２２によって、洗浄槽１６内の水分を多く含んだ空気を、排気口２４より外部に排出しつつ、食器類１８および洗浄槽１６内部を乾かす乾燥工程を行って運転を終了する。
【００２４】
尚、調整手段２８は、運転開始前に第１の送風経路２６から洗浄槽１６内への送風を全閉した状態にしている。
【００２５】
運転を開始し、洗浄工程で、調整手段２８は、第１の送風経路２６から洗浄槽１６内への送風を全閉しつつ、洗浄水の温度が一定の温度（例えば４０℃）になると、送風手段２２を運転する。このとき、第２の送風経路２９を介して外気のみを排気経路２７に送風することができ、洗浄槽１６内の熱膨張により排気経路２７に漏出する湿気を多く含んだ空気を、第２の送風経路２９から送風される外気と混合し、排気口２４からの排気の温度を低下させるとともに、排気容積あたりの水分量を低下することにより、ワークトップ３３５等への結露を防止することができる。
【００２６】
すすぎ工程は、洗浄工程から引き続き洗浄槽１６内の温度が高いため、調整手段２８を動作させて、第１の送風経路２６から洗浄槽１６内への送風を全閉しつつ送風手段２２を運転することにより、同様の効果を得ることができる。
【００２７】
次に、乾燥工程の初期においては、調整手段２８により弁機構を開放して送風手段２２を運転することで、第１の送風経路２６から洗浄槽１６を介して送風される温度が高く、また水分を多く含んだ空気と、第２の送風経路２９から送風される外気とを混合することができる。その際、調整手段２８は、温度検知手段２３によって検知された洗浄槽１６内の温度により、洗浄槽１６内を介して送風される送風量を調節し、排気経路２７で混合される排気の温度を調節することができる。これにより、温度と、排気容積あたりの水分量を低下した状態で排気口２４から排気できるため、ワークトップ３５等への結露を防止しながら、洗浄槽１６内の水分を排出することができる。
【００２８】
また、洗浄槽１６内の温度が低下するとともに、調整手段２８により、弁機構を徐々に開放することで、排気の温度と、水分を調節して、結露防止をしつつ乾燥をすることができる。
【００２９】
このように本実施の形態によれば、食器洗い機本体１５内に設けた洗浄槽１６と、前記洗浄槽１６内に設けた洗浄ノズル２０と、前記洗浄槽１６内の空気を第１の送風経路２６を通じて機外に排出する送風手段２２と、前記送風手段２２により外気を排気口２４に混入する第２の送風経路２９と、前記第１の送風経路２６に設けて、送風量を調節する調整手段２８と、洗浄、すすぎ、乾燥の各工程を逐次制御する制御手段３１とを備えたことにより、１つの送風手段２２で、第１の送風経路２６から外気を送風しつつ、洗浄槽１６内を通過する送風量を調整することで、排気口２４からの排気の温度と、排気に含まれる水分を調整し、ワークトップ３５等への結露を防止することができる。
【００３０】
また、調整手段２８は、各運転工程に合わせて送風量を調節することにより、洗浄、すすぎ、乾燥の各工程中に合わせて、排気口２４からの排気の温度と、排気に含まれる水分を調整し、ワークトップ３５等への結露を防止することができる。
【００３１】
また、洗浄槽１６底部に、洗浄槽１６内の温度を検知する温度検知手段３０を備え、制御手段３１は、前記温度検知手段３０により検知した温度で調整手段２８を制御して送風量を調整することにより、洗浄、すすぎ、乾燥の各工程中の温度状態に合わせて、排気口２４からの排気の温度と、排気に含まれる水分を調整し、ワークトップ１４等への結露を防止することができる。
【産業上の利用可能性】
【００３２】
以上のように、本発明にかかる食器洗い機は、機外に漏出する蒸気によりシステムキッチンへの結露等の発生を防止することができるもので、システムキッチンに組み込まれる食器洗い機等に有用である。
【図面の簡単な説明】
【００３３】
【図１】本発明の実施の形態１における食器洗い機の側断面図
【図２】従来の食器洗い機の側断面図
【符号の説明】
【００３４】
１５  食器洗い機本体
１６  洗浄槽
２０  洗浄ノズル
２２  送風手段
２４  排気口
２６  第１の送風経路
２７  排気経路
２８  調整手段
２９  第２の送風経路
３０  温度検知手段
３１  制御手段
【図１】
2008212585.tif 000003
【図２】
2008212585.tif 000004